(57)【要約】【課題】  解除釦の破壊が抑えられる配線装置を提供する。【解決手段】  配線装置のハウジング１は、後方から前向きに押操作されて電線の接続を解除する解除釦６５が設けられたコンセント６を保持している。コンセント６の各解除釦６５について、それぞれ、解除釦６５への過剰な押操作を阻止する制限部２８をハウジング１に設けた。解除釦６５が破損されるような過剰な押操作を加えるマイナスドライバーＭＤ等に対して制限部２８が当接することにより、上記の過剰な押操作が阻止されるから、解除釦６５の破損が抑えられる。【選択図】図１
2010170731.tif 000002
【特許請求の範囲】
【請求項１】
それぞれ電源プラグの栓刃が挿入される栓刃挿入口が少なくとも１組設けられたコンセントと、各栓刃挿入口をそれぞれ前方に露出させる形でコンセントを保持するとともに後面を取付面に向けて取付面に対して固定されるハウジングとを備え、
コンセントは、各栓刃挿入口がそれぞれ前面に開口するとともにそれぞれ電線が挿入される電線挿入口が後面に開口した器体と、栓刃挿入口毎に設けられてそれぞれ導電材料からなり器体内に収納されて対応する栓刃挿入口から挿入された栓刃に弾接する刃受けと、電線挿入口毎に設けられてそれぞれ導電材料からなり器体内において電線挿入口に臨む位置に収納されて少なくとも１個の刃受けに電気的に接続された端子板と、電線挿入口毎に設けられそれぞれ弾性を有する材料からなり器体内に収納されて対応する電線挿入口に挿入された電線を端子板に接触導通した状態に鎖錠する鎖錠ばねと、それぞれ器体外に露出する被操作部を有し被操作部が前向きの押力を受けたときに器体に対して変位して少なくとも１個の鎖錠ばねを押圧し鎖錠を解除させる少なくとも１個の解除釦とを有し、
各解除釦は、それぞれ、器体内において鎖錠ばねを押圧する押圧部と、一端が押圧部に連結されるとともに他端が器体の外側に突出して被操作部に連結された連結部とを有し、
ハウジングには、後方から見て各電線挿入口及び各解除釦の被操作部をそれぞれ露出させる露出穴と、鎖錠ばねの鎖錠を解除する位置の解除釦の被操作部の近傍に設けられて解除釦を過剰に変位させるような押操作を阻止する制限部とがそれぞれ設けられていることを特徴とする配線装置。
【請求項２】
各解除釦において、それぞれ、被操作部は、連結部よりも後方へ突出して器体の左右の側面と対向する形状であって、
露出穴は、コンセントの器体の後面を露出させる電線挿入口露出部と、解除釦毎に設けられてそれぞれ左右の一端が電線挿入口露出部に連通し対応する解除釦の被操作部の後面の少なくとも一部を露出させる少なくとも１個の解除釦露出部とからなり、
各解除釦露出部は、それぞれ、左右方向の寸法が上下方向の寸法よりも大きくされていることを特徴とする請求項１記載の配線装置。
【請求項３】
後方から見て少なくともコンセントの各電線挿入口をそれぞれ覆う閉位置と、後方から見てコンセントの各電線挿入口と各解除釦の被操作部とをそれぞれ露出させる開位置との間で、ハウジングに対して変位自在に取り付けられた扉体を備えることを特徴とする請求項１又は請求項２記載の配線装置。
【発明の詳細な説明】
【技術分野】
【０００１】
本発明は、電源用のコンセントを保持した配線装置に関するものである。
【背景技術】
【０００２】
従来から、それぞれ電源プラグの栓刃が挿入される栓刃挿入口が少なくとも１組設けられたコンセントと、各栓刃挿入口をそれぞれ前方に露出させる形でコンセントを保持するとともに後面を取付面に向けて取付面に対して固定されるハウジングとを備える配線装置が提供されている（例えば、特許文献１及び特許文献２参照）。
【０００３】
上記の配線装置に保持されるコンセントとしては、例えば図１３に示すようなものがある。
【０００４】
図１３のコンセント６について具体的に説明する。以下、コンセント６において電源プラグの栓刃（図示せず）が挿入される栓刃挿入口６１が設けられた長方形状の面を前面と呼び、コンセント６の前面の長手方向（図１３（ａ）の右上−左下方向）を上下方向と呼ぶ。また、左右方向は図１３（ａ）を基準とする。
【０００５】
コンセント６は、前面に２組の栓刃挿入口６１ａ〜６１ｃが上下に並べて設けられるとともに、後面にはそれぞれ電線Ｃ（図１４参照）が挿入される電線挿入口６２が、左右に２列、上下に３列の計６個設けられた器体６０を備える。器体６０は、合成樹脂からなり器体６０の後面を構成するベース６０ａと、合成樹脂からなりベース６０ａの前側に結合して器体６０の前面を構成するカバー６０ｂと、金属からなりベース６０ａとカバー６０ｂとを互いに結合させる組立枠６０ｃとからなる。器体６０は全体としてＪＩＳ  Ｃ  ８３７５に規定された大角形連用配線装置の取付枠（図示せず）に取付可能な寸法形状とされるとともに、組立枠６０ｃの左右の端面は上記の取付枠に対して凹凸係合させることができるような形状となっている。
【０００６】
また、栓刃挿入口６１ａ〜６１ｃの各組は、それぞれ、電圧側極の栓刃が挿入される電圧側栓刃挿入口６１ａと、電圧側栓刃挿入口６１ａの左側に設けられて接地側極の栓刃が挿入される接地側栓刃挿入口６１ｂと、電圧側栓刃挿入口６１ａと接地側栓刃挿入口６１ｂとに挟まれる位置の下側に設けられて接地極の栓刃が挿入される接地栓刃挿入口６１ｃとからなる。さらに、電線挿入口６２も極性毎に２個ずつ設けられており、右上（図１３（ｂ）での左上）において上下に並ぶ２個の電線挿入口６２にはそれぞれ電圧側極の電線Ｃが挿入され、左上（図１３（ｂ）での右上）において上下に並ぶ２個の電線挿入口６２にはそれぞれ接地側極の電線Ｃが挿入され、下端において左右に並ぶ２個の電線挿入口６２にはそれぞれ接地用の電線Ｃが挿入される。各極性についてそれぞれ、２個ずつ設けられた電線挿入口６２のうち一方は送り配線に用いられる。
【０００７】
さらに、器体６０内には、導電材料からなり各栓刃挿入口６１ａ〜６１ｃに一対一に対応してそれぞれ対応する栓刃挿入口６１ａ〜６１ｃに挿入された栓刃に接触導通する６個の刃受け（図示せず）と、電線挿入口６２に一対一に対応してそれぞれ対応する電線挿入口６２に挿入された電線に電気的に接続される６個の端子板６３（図１４参照）とが収納されている。例えば電圧側極同士といったように互いに極性が共通する各刃受けと各端子板６３とは、例えば互いに連結して形成されることにより互いに電気的に接続されている。さらに、コンセント６の前面の下端部には、接地極の各刃受け及び接地極の各端子板６３に電気的に接続されたねじ端子からなり接地線が接続される接地線接続端子（図示せず）が保持されており、器体６０の下端部には前方から見て上記の接地線接続端子を開閉自在に覆う端子扉６６が取り付けられている。
【０００８】
次に、端子板６３に対する電線Ｃの接続の保持及び解除の構成ついて説明する。図１４に示すように、電線挿入口６２毎すなわち端子板６３毎に１個ずつ、対応する電線挿入口６２から挿入された電線Ｃを端子板６３に鎖錠する鎖錠ばね６４が設けられており、各端子板６３はそれぞれ鎖錠ばね６４との間に電線Ｃを挟持する接触部６３ａを有する。各鎖錠ばね６４は、それぞれ、例えば金属のような弾性を有する材料からなり、前方（図１４での上方）に向かって端子板６３の接触部６３ａに近づく方向（図１４での左方向）に傾斜した鎖錠部６４ａを有する。鎖錠部６４ａは弾性復帰した状態では対応する電線挿入口６２の前側に位置しており、電線Ｃが電線挿入口６２に奥まで挿入されると、その電線Ｃは、鎖錠ばね６４のばね力により端子板６３の接触部６３ａに押し付けられるとともに鎖錠ばね６４の鎖錠部６４ａの前端部が食込むことで抜け止めされる（すなわち鎖錠される）。つまり、端子板６３と鎖錠ばね６４とは、いわゆる速結端子を構成している。
【０００９】
また、コンセント６は、各電線挿入口６２に一対一に対応し、それぞれ同じ電線挿入口６２に対応する鎖錠ばね６４の鎖錠を解除するための６個の解除釦６５を備える。各解除釦６５は、それぞれ、操作力を受ける被操作部６５ａと、器体６０内において同じ電線挿入口６２に対応する鎖錠ばね６４の鎖錠部６４ａに押圧する押圧部６５ｂと、一端が押圧部６５ｂに連結されるとともに他端が器体６０から突出して被操作部６５ａに連結された連結部６５ｃとを有する。被操作部６５ａは連結部６５ｃよりも後方へ突出しており、被操作部６５ａの後端部は器体６０の左右の側面のうち対応する電線挿入口６２に近い側の側面に対し間に隙間を空けて対向している。解除釦６５は、鎖錠ばね６４に接触しない接続位置と、図１４に示すように押圧部６５ｂが鎖錠ばね６４の鎖錠部６４ａを左右方向の内側（図１４での右側）へ押圧することにより電線Ｃから引き離して鎖錠を解除する解除位置との間で、器体６０に対して変位自在となっている。解除釦６５の被操作部６５ａの位置は、解除位置では接続位置よりも前側となる。つまり、前向きの力を被操作部６５ａに受けたときに解除釦６５は接続位置から解除位置に変位する。
【先行技術文献】
【特許文献】
【００１０】
【特許文献１】特開２００５−３１８４４９号公報
【特許文献２】特開２００８−２７７４２７号公報
【発明の概要】
【発明が解決しようとする課題】
【００１１】
しかしながら、解除釦６５が過剰な押力を受けたときに、解除釦６５が破損されてしまう可能性があった。特に、配線装置においてハウジングが左右方向から見て解除釦６５の被操作部６５ａを覆うような形でコンセント１を保持している場合であって解除釦６５とハウジングとの間の隙間が小さい場合、解除釦６５の操作のためには例えばマイナスドライバーのような治具を用いる必要があり、押操作に治具を用いると指で直接押操作する場合よりも力の加減が難しいため、解除釦６５の破損が発生しやすかった。
【００１２】
本発明は、上記事由に鑑みて為されたものであり、その目的は、解除釦の破損が抑えられる配線装置を提供することにある。
【課題を解決するための手段】
【００１３】
請求項１の発明は、それぞれ電源プラグの栓刃が挿入される栓刃挿入口が少なくとも１組設けられたコンセントと、各栓刃挿入口をそれぞれ前方に露出させる形でコンセントを保持するとともに後面を取付面に向けて取付面に対して固定されるハウジングとを備え、コンセントは、各栓刃挿入口がそれぞれ前面に開口するとともにそれぞれ電線が挿入される電線挿入口が後面に開口した器体と、栓刃挿入口毎に設けられてそれぞれ導電材料からなり器体内に収納されて対応する栓刃挿入口から挿入された栓刃に弾接する刃受けと、電線挿入口毎に設けられてそれぞれ導電材料からなり器体内において電線挿入口に臨む位置に収納されて少なくとも１個の刃受けに電気的に接続された端子板と、電線挿入口毎に設けられそれぞれ弾性を有する材料からなり器体内に収納されて対応する電線挿入口に挿入された電線を端子板に接触導通した状態に鎖錠する鎖錠ばねと、それぞれ器体外に露出する被操作部を有し被操作部が前向きの押力を受けたときに器体に対して変位して少なくとも１個の鎖錠ばねを押圧し鎖錠を解除させる少なくとも１個の解除釦とを有し、各解除釦は、それぞれ、器体内において鎖錠ばねを押圧する押圧部と、一端が押圧部に連結されるとともに他端が器体の外側に突出して被操作部に連結された連結部とを有し、ハウジングには、後方から見て各電線挿入口及び各解除釦の被操作部をそれぞれ露出させる露出穴と、鎖錠ばねの鎖錠を解除する位置の解除釦の被操作部の近傍に設けられて解除釦を過剰に変位させるような押操作を阻止する制限部とがそれぞれ設けられていることを特徴とする。
【００１４】
この発明によれば、解除釦を過剰に変位させるような押操作を加える指や治具に対し、ハウジングの制限部が当接することで、上記の押操作が阻止されるから、解除釦の破壊が抑えられる。
【００１５】
請求項２の発明は、請求項１の発明において、各解除釦において、それぞれ、被操作部は、連結部よりも後方へ突出して器体の左右の側面と対向する形状であって、露出穴は、コンセントの器体の後面を露出させる電線挿入口露出部と、解除釦毎に設けられてそれぞれ左右の一端が電線挿入口露出部に連通し対応する解除釦の被操作部の後面の少なくとも一部を露出させる少なくとも１個の解除釦露出部とからなり、各解除釦露出部は、それぞれ、左右方向の寸法が上下方向の寸法よりも大きくされていることを特徴とする。
【００１６】
この発明によれば、解除釦露出部へのマイナスドライバーの挿入により被操作部が操作される場合に、解除釦露出部の形状を見た操作者はマイナスドライバーの幅方向を左右方向に向けるように促されるから、幅方向を上下方向に向けられたマイナスドライバーが被操作部と器体との間の隙間に入り込んで解除釦に無理な力がかかることによる解除釦の破損が避けられる。
【００１７】
請求項３の発明は、請求項１又は請求項２の発明において、後方から見て少なくともコンセントの各電線挿入口をそれぞれ覆う閉位置と、後方から見てコンセントの各電線挿入口と各解除釦の被操作部とをそれぞれ露出させる開位置との間で、ハウジングに対して変位自在に取り付けられた扉体を備えることを特徴とする。
【００１８】
この発明によれば、扉体を開位置に変位させることで各電線挿入口への電線の挿入接続が可能となり、電線の挿入接続後に扉体を閉位置に変位させることで各電線挿入口をそれぞれ扉体により保護することができる。
【発明の効果】
【００１９】
請求項１の発明によれば、解除釦を過剰に変位させるような押操作を加える指や治具に対し、ハウジングの制限部が当接することで、上記の押操作が阻止されるから、解除釦の破壊が抑えられる。
【００２０】
請求項２の発明によれば、解除釦を露出させる各解除釦露出部が、それぞれ、左右方向の寸法が上下方向の寸法よりも大きくされていることにより、解除釦露出部へのマイナスドライバーの挿入により被操作部が操作される場合に、解除釦露出部の形状を見た操作者はマイナスドライバーの幅方向を左右方向に向けるように促されるから、幅方向を上下方向に向けられたマイナスドライバーが被操作部と器体との間の隙間に入り込んで解除釦に無理な力がかかることによる解除釦の破損が避けられる。
【００２１】
請求項３の発明によれば、後方から見て少なくともコンセントの各電線挿入口をそれぞれ覆う閉位置と、後方から見てコンセントの各電線挿入口と各解除釦の被操作部とをそれぞれ露出させる開位置との間で、ハウジングに対して変位自在に取り付けられた扉体を備えるので、扉体を開位置に変位させることで各電線挿入口への電線の挿入接続が可能となり、電線の挿入接続後に扉体を閉位置に変位させることで各電線挿入口をそれぞれ扉体により保護することができる。
【図面の簡単な説明】
【００２２】
【図１】本発明の実施形態の要部を示す断面図である。
【図２】（ａ）〜（ｄ）はそれぞれ同上を示す図であり、（ａ）は正面図、（ｂ）は下面図、（ｃ）は右側面図、（ｄ）は背面図である。
【図３】（ａ）（ｂ）はそれぞれ同上を示す斜視図であり、（ａ）は前側から見た斜視図、（ｂ）は後側から見た斜視図である。
【図４】（ａ）（ｂ）はそれぞれ同上においてカバーを取り外した状態を示す正面図であり、（ａ）はレセプタクルを第１の保持部に保持させた状態を示し、（ｂ）はレセプタクルを第２の保持部に保持させてプラグを接続した状態を示す。
【図５】同上においてカバーを取り外した状態を示す斜視図である。
【図６】（ａ）（ｂ）はそれぞれ同上に構成された電話接続システムの使用形態であって互いに異なる使用形態の例を示す説明図である。
【図７】同上においてカバーを取り外した状態の要部を示す断面図である。
【図８】同上の要部を示す斜視図である。
【図９】同上の比較例の要部を示す斜視図である。
【図１０】同上の変更例においてカバーを取り外した状態を示す正面図である。
【図１１】図１０の変更例においてカバーを取り外した状態を示す斜視図である。
【図１２】（ａ）（ｂ）はそれぞれ同上の別の変更例を示す斜視図であり、（ａ）は扉体が閉位置にある状態を示し、（ｂ）は扉体が開位置にある状態を示す。
【図１３】（ａ）（ｂ）はそれぞれコンセントを示す斜視図であり、（ａ）は前側から見た斜視図、（ｂ）は後側から見た斜視図である。
【図１４】図１３のコンセントの要部を示す断面図である。
【発明を実施するための形態】
【００２３】
以下、本発明を実施するための最良の形態について、図面を参照しながら説明する。
【００２４】
本実施形態は、図２及び図３に示すように、全体として直方体形状のハウジング１を備える。以下、上下左右は図２（ａ）を基準とし、図２（ｃ）の左右方向を前後方向と呼ぶ。
【００２５】
ハウジング１は、後面を壁面等の取付面（図示せず）に向けて取付面に対して固定されるボディ２と、ボディ２の前側に着脱自在に取り付けられるカバー３とを備える。ボディ２とカバー３とはそれぞれ例えば合成樹脂からなる。
【００２６】
本実施形態は光ファイバケーブルＦＣ１，ＦＣ２（図４参照）やＬＡＮケーブル（図示せず）や電話ケーブル（図示せず）の配線の集約に用いられるものであって、図４及び図５に示すように、ボディ２の前側には、複数本のＬＡＮケーブルと複数本の電話ケーブルとをそれぞれ接続可能な接続ユニット４が固定されている。さらに、接続ユニット４には、図１３及び図１４で説明した電源用のコンセント６が、各栓刃挿入口６１ａ〜６１ｃをそれぞれ前方に露出させる形で保持されている。
【００２７】
接続ユニット４は、８極８芯のモジュラジャック４１を複数個備えており、ＬＡＮケーブルの一端に設けられたモジュラプラグ（図示せず）が上記のモジュラジャック４１のいずれかに挿入接続されることによってＬＡＮケーブルが接続ユニット４に接続される。
【００２８】
また、接続ユニット４は、全体として直方体形状であって各モジュラジャック４１をそれぞれ保持した本体部４０ａと、本体部４０ａの左面に突設されてコンセント６を保持するコンセント保持部４０ｂと、本体部４０ａの上面に突設された電源部４０ｃと、本体部４０ａの下面に突設され複数組の電話線がそれぞれ挿入される電話線用端子台４０ｄとを有してボディ２に対してねじ止め固定されたケース４０を備える。ケース４０は例えば合成樹脂からなる。接続ユニット４のケース４０はボディ２及びカバー３とともにハウジング１を構成するものであって、コンセント６は、ケース４０のコンセント保持部４０ｂに対して例えば嵌合によって保持されている。
【００２９】
ケース４０の本体部４０ａには、モジュラジャック４１に接続されるモジュラプラグを挿通するためのＬＡＮプラグ挿入穴４２ａ，４２ｂが、前面の右端部と下面とに１個ずつ設けられており、本体部４０ａの下面に設けられた１個のＬＡＮプラグ挿入穴４２ｂ内には７個のモジュラジャック４１が左右に並んで露出している。また、本体部４０ａには、ケース４０に対して上下にスライドして本体部４０ａの前面のＬＡＮプラグ挿入穴４２ａを開閉するスライド扉４３が取り付けられている。接続ユニット４のケース４０内には、上記のモジュラジャック４１の他、各モジュラジャック４１を通じて外部のパーソナルコンピュータ等の機器から入力される電気信号に応じてモジュラジャック４１間での信号の送受信を制御するスイッチングハブ回路（図示せず）が収納されている。例えば、本体部４０ａの前面に設けられたＬＡＮプラグ挿入穴４２ａ内の１個のモジュラジャック４１は、インターネット接続用のモデムやルータ（図示せず）に一端が接続されたＬＡＮケーブルの他端に設けられたモジュラプラグが挿入接続されることで、上記のモデムやルータに接続され、また、本体部４０ａの下面に設けられたＬＡＮプラグ挿入穴４２ｂ内に露出する各モジュラジャック４１は、それぞれ、各部屋に設けられたＬＡＮコンセント（図示せず）に一端が接続されたＬＡＮケーブルの他端に設けられたモジュラプラグが挿入接続されることで、上記ＬＡＮコンセントや、上記ＬＡＮコンセントに接続された機器に接続される。つまり、上記のような接続により、モデムやルータと各部屋の機器との接続が達成される。スイッチングハブ回路の電源は、取付面から引き出される電源ケーブルＰＣ（図１２（ｂ）参照）を介してコンセント６に接続された交流電源（図示せず）から、一端がコンセント６の接地側極と電圧側極との一方ずつの電線挿入口６２に挿入接続され他端がそれぞれ電源部４０ｃに導入された一対の電線Ｃを介して供給される。また、接続ユニット４は、操作力を受けてスイッチングハブ回路の電源をオンオフする電源スイッチ４４を有し、この電源スイッチ４４は電源部４０ｃの右側に露出する形で保持されている。
【００３０】
また、ケース４０の本体部４０ａの前面の左端部には、それぞれ電話用の６極２芯のモジュラプラグ（図示せず）が挿入される２個の電話プラグ挿入穴４５ａ，４５ｂが設けられている。各電話プラグ挿入穴４５ａ，４５ｂ内にはそれぞれ電話用モジュラジャック４８（図１参照）が保持されており、いずれかの電話プラグ挿入穴４５ａ，４５ｂに挿入されたモジュラプラグは該電話プラグ挿入穴４５ａ，４５ｂ内の電話用モジュラジャック４８に挿入接続される。さらに、各電話プラグ挿入穴４５ａ，４５ｂについて、それぞれ、本体部４０ａの前面のＬＡＮプラグ挿入穴４２ａと同様に、ケース４０に対して上下にスライドして電話プラグ挿入穴４５ａ，４５ｂを開閉するスライド扉４３が設けられている。
【００３１】
ケース４０の電話線用端子台４０ｄの後面には、それぞれ電話ケーブルを構成する電話線が挿入される１０組２０個の電話線挿入口４６が設けられている。電話線用端子台４０ｄ内には、電話線挿入口４６に一対一に対応しそれぞれ対応する電話線挿入口４６から挿入された電話線に電気的に接続される１０組２０個の電話線接続端子（図示せず）が収納及び保持されている。電話線接続端子としては例えば速結端子のような周知の端子を用いることができる。
【００３２】
上記６組の電話線接続端子のうちの１組は一端が保安器に接続された電話線（以下、「加入者線」と呼ぶ。）の他端が挿入される加入者線接続端子ＣＴ（図６参照）である。また、電話線接続端子のうち他の１組はＬＩＮＥ接続端子であって、上側の電話プラグ挿入穴４５ａ内の電話用モジュラジャック（以下、「ＬＩＮＥモジュラジャック」と呼ぶ。）４８に対して対応する導電部同士を互いに電気的に接続されている。さらに、電話線接続端子のうち残りの８組はそれぞれ各部屋の電話用コンセント（図示せず）や電話機（図示せず）に対し電話線を介して接続されるＴＥＬ接続端子であって、これらＴＥＬ接続端子と下側の電話プラグ挿入穴４５ｂ内の電話用モジュラジャック（以下、「ＴＥＬモジュラジャック」と呼ぶ。）４８とは対応する導電部同士を互いに電気的に接続されている。さらに、接続ユニット４は、図６に示すように、ＬＩＮＥ接続端子及びＬＩＮＥモジュラジャック４８が構成するＬＩＮＥ系統ＬＬと、各ＴＥＬ接続端子及びＴＥＬモジュラジャック４８が構成するＴＥＬ系統ＴＬとの一方を択一的に加入者線接続端子に接続する切替スイッチ４７を備える。切換スイッチ４７は操作入力を受けて接続を切り替えるものであって、前方からの操作が可能となるような形でケース４０において電話プラグ挿入穴４５ａの上側に保持されている。
【００３３】
上記の各電話用モジュラジャック４８と各電話線接続端子と切替スイッチ４７とは、図６に示すような電話接続システムＴＳを構成している。ＡＤＳＬ等を特に使用しない場合には、図６（ａ）に示すように加入者線接続端子ＣＴをＴＥＬ系統ＴＬに接続するように切換スイッチ４７を切り替えれば、ＴＥＬ系統ＴＬに接続された各部屋の電話線や電話用コンセント等を加入者線に接続することができる。この場合、加入者線接続端子ＣＴから切り離されたＬＩＮＥ系統ＬＬは、ＬＩＮＥ接続端子に接続された機器とＬＩＮＥモジュラジャックに接続された機器とを互いに接続するといったような別途の接続に用いることができる。
【００３４】
また、ＡＤＳＬを使用する場合には、図６（ｂ）に示すように加入者線接続端子ＣＴをＬＩＮＥ系統ＬＬに接続するように切換スイッチ４７を切り替えるとともに、ＬＩＮＥ系統の例えばＬＩＮＥモジュラジャック４８に、スプリッタＳＰの入力端子に接続する。さらに、スプリッタＳＰのＡＤＳＬ出力端子をモデムに接続する一方で、スプリッタＳＰのＴＥＬ出力端子をＴＥＬ系統ＴＬの例えばＴＥＬモジュラジャック４８に接続する。
【００３５】
また、ＩＰ電話を使用する場合にも、図６（ｂ）の例と同様に加入者線接続端子ＣＴをＬＩＮＥ系統ＬＬに接続するように切換スイッチ４７を切り替えてＴＥＬ系統ＴＬを加入者線接続端子ＣＴから切り離した上で、ＴＥＬ系統ＴＬの例えばＴＥＬモジュラジャック４８にＩＰ電話アダプタ（図示せず）を接続すれば、ＴＥＬ系統ＴＬに接続された各部屋の電話機やコンセント等をそれぞれＩＰ電話アダプタに接続することができる。
【００３６】
次に、ボディ２について説明する。
【００３７】
ボディ２は、前方から見て長手方向を左右方向とする長方形状の輪郭を有し、４隅にはそれぞれ取付面に直接ねじ止めされる際にねじ止め用のねじ（図示せず）が挿通される円形状の第１ねじ挿通穴２０ａが前後に貫設されている。また、第１ねじ挿通穴２０ａよりも左右方向の内側となる４箇所には、それぞれ、短手方向の一方側をボディ２の中央へ向けた長円形状であって専用の取付台（図示せず）に対してねじ止めする際にねじ止め用のねじ（図示せず）が挿通される第２ねじ挿通穴２０ｂが前後に貫設されている。
【００３８】
さらに、ボディ２には、光通信用のプラグＬＰが挿入接続される光通信用のレセプタクル５が着脱自在に保持可能となっている。レセプタクル５は屋外から引き込まれた第１の光ファイバケーブルＦＣ１の一端が接続されるものであり、プラグＬＰは一端が光回線終端装置（ＯＮＵ）（図示せず）に接続された第２の光ファイバケーブルＦＣ２の他端が接続されるものである。そして、レセプタクルに対して第１の光ファイバケーブルＦＣ１が接続されるとともにプラグＬＰに対して第２の光ファイバケーブルＦＣ２が接続された状態で、レセプタクル５に設けられたプラグ挿入口５０（図７参照）に対してプラグＬＰが挿入されることで、第１の光ファイバケーブルＦＣ１と第２の光ファイバケーブルＦＣ２とが互いに光学的に接続される。また、レセプタクル５には、プラグ挿入口５０を開閉するシャッター５０ａが設けられている。さらに、ボディ２の左下端部には、全体として上下に開口した角筒形状の光通信用挿通部２３が設けられている。カバー３がボディ２に取り付けられた状態では、ハウジング１の内外を連通させる光通信用挿通穴１０が光通信用挿通部２３の内側に形成されるのであり、この光通信用挿通穴１０を通じてプラグＬＰや第２の光ファイバケーブルＦＣ２はハウジング１内に導入される。
【００３９】
ボディ２がレセプタクル５を保持する構造について具体的に説明する。ボディ２の前面の左下端部には、それぞれ左右方向からレセプタクル５を挟持する２組の保持片２１，２２が上下に並べて前方へ突設されている。各保持片２１，２２はそれぞれ左右方向に扁平であって前端部を後端部に対して左右に変位させるように弾性変形可能となっている。さらに、各保持片２１，２２の前端部にはそれぞれ係止爪２１ａ，２２ａが左右方向の内向きに突設されている。保持片２１，２２間にレセプタクル５を保持させる際には、レセプタクル５を保持させる一方の組の保持片２１，２２の前端部間の距離を大きくするように該一方の組の各保持片２１，２２を弾性変形させつつプラグ挿入口５０を下向きとする所定の姿勢でレセプタクル５を保持片２１，２２間に導入してレセプタクル５の後面をボディ２の前面に当接させてから、各保持片２１，２２をそれぞれ弾性復帰させる。すると、該一方の組の保持片２１，２２が左右方向からレセプタクル５を弾性的に挟持することでボディ２に対するレセプタクル５の左右方向の移動が禁止されるとともに、各係止爪２１ａ，２２ａがそれぞれレセプタクル５の前面を係止することによりボディ２の前方へのレセプタクル５の脱落が阻止される。ボディ２に対するレセプタクル５の上下方向の移動は、レセプタクル５を挟む保持片２１，２２がレセプタクル５の左右の側面の凹凸に対して上下方向から当接することによって禁止される。逆に、レセプタクル５を取り外す際には、レセプタクル５を挟む１組の保持片２１，２２を前端部間の距離を大きくするようにそれぞれ弾性変形させて各係止爪２１ａ，２２ａの係止を解除させれば、レセプタクル５をボディ２の前方へ取り外すことができる。
【００４０】
また、本実施形態においては、上下２組のいずれの保持片２１，２２を用いるかを選択することにより、レセプタクル５の取付位置を上下２箇所から選択可能となっている。
【００４１】
図４（ａ）及び図５に示すように下側の組の保持片（以下、「第１の保持片」と呼ぶ。）２１を用いた場合には、レセプタクル５は図２，３に示すように光通信用挿通穴１０を通じてプラグ挿入口５０（シャッター５０ａ）をハウジング１の下方へ露出させる形で保持される。この場合、ボディ２をカバー３から取り外すことなくレセプタクル５に対するプラグＬＰの挿抜を容易に行うことができる。
【００４２】
基本的には、レセプタクル５は上記のように第１の保持片２１に保持させることが望ましいが、そうするとレセプタクル５に挿入接続されたプラグＬＰはハウジング１の下方に突出することになるから、ハウジング１の下方にはプラグＬＰを配置可能なスペースを確保する必要がある。そこで、ハウジング１の下方にプラグＬＰを配置可能なスペースを確保できない場合には、図４（ｂ）に示すように上側の保持片（以下、「第２の保持片」と呼ぶ。）２２にレセプタクル５を保持させる。すると、レセプタクル５だけでなくレセプタクル５に挿入接続されたプラグＬＰもハウジング１内に収納されるから、ハウジング１の下方にはプラグＬＰを配置可能なスペースを確保する必要がなくなる。
【００４３】
ところで、交流電源とコンセント６とを電気的に接続する電源ケーブルＰＣ（図１２（ｂ）参照）と、レセプタクル５に接続される第１の光ファイバケーブルＦＣ１と、接続ユニット４の電話線用端子台４０ｄに接続される各電話ケーブルと、それぞれ接続ユニット４の本体部４０ａの下面に露出したモジュラジャック４１の１個ずつに接続される各ＬＡＮケーブルとは、それぞれ、取付面に設けられた引き出し穴（図示せず）から引き出されるものであり、ハウジング１は前方から見て上記の引き出し穴を覆う形で取付面に対して固定される。そして、ボディ２において、前方から見て接続ユニット４の電話線用端子台４０ｄの左側には、第１の光ファイバケーブルＦＣ１と上記の各電話ケーブルとがそれぞれ挿通される第１のケーブル挿通穴２４ａが前後に貫設されている。さらに、ボディ２において、前方から見て接続ユニット４の電話線用端子台４０ｄの右側には、上記の各ＬＡＮケーブルがそれぞれ挿通される第２のケーブル挿通穴２４ｂが前後に貫設されている。本実施形態では上記のように第１の光ファイバケーブルＦＣ１及び各電話ケーブルがそれぞれ挿通される第１のケーブル挿通穴２４ａと、各ＬＡＮケーブルがそれぞれ挿通される第２のケーブル挿通穴２４ｂとが分けられていることで、１個のケーブル挿通穴に第１の光ファイバケーブルＦＣ１と各電話ケーブルと各ＬＡＮケーブルとがそれぞれ挿通される場合に比べ、配線が整理されることにより配線作業がより容易となる。
【００４４】
また、ボディ２の前面の左上端部には、円筒形状の余長引掛筒２５が前方へ突設されている。すなわち、第１のケーブル挿通穴２４ａを通じてボディ２の前側へ導入された第１の光ファイバケーブルＦＣ１を、余長引掛筒２５の上側に通したり、余長引掛筒２５に適宜回数巻回したりすることで、第１の光ファイバケーブルＦＣ１の余長処理ができる。さらに、それぞれ第１の光ファイバケーブルＦＣ１をガイドする複数個の光ファイバケーブルガイド凸部２６ａ〜２６ｄが、ボディ２からそれぞれ前方へ突設されている。ここで、第１の保持片２１にレセプタクル５を保持させた場合には、図７に示すようにレセプタクル５の上端部とボディ２の前面との間に隙間が空くのであり、第１の光ファイバケーブルＦＣ１を第１のケーブル挿通穴２４ａから余長引掛筒２５に導く際には上記の隙間に第１の光ファイバケーブルＦＣ１を通すことができる。従って、第１の光ファイバケーブルＦＣ１をボディ２の前面とレセプタクル５との間に通すことができない場合に比べ、第１の光ファイバケーブルＦＣ１の配置の自由度が向上して配線作業が容易となっている。
【００４５】
カバー３は、例えば合成樹脂からなり、全体として、前方から見た輪郭がボディ２の輪郭に略一致し後面が開口した直方体形状である。カバー３をボディ２に着脱自在に結合させる手段としては、例えば凹凸係合のような周知技術を用いることができる。カバー３の前面には、コンセント６の前端部が挿通され各栓刃挿入口６１ａ〜６１ｃをそれぞれ前方へ露出させる長方形状のコンセント穴３０ａと、接続ユニット４の本体部４０ａの前面を露出させる長方形状の接続穴３０ｂとが左右に並べて設けられており、コンセント６に対する電源プラグの挿抜や、ＬＡＮプラグ挿入穴４２ａに対するモジュラプラグの挿抜や、各電話プラグ挿入穴４５ａ，４５ｂに対するモジュラプラグの挿抜は、ボディ２にカバー３を取り付けたままの状態でも行うことができる。さらに、カバー３の右上端部には、電源スイッチ４４を露出させる操作穴３０ｃが設けられており、ボディ２にカバー３を取り付けたままの状態でも、電源スイッチ４４の操作によるスイッチングハブ回路の電源のオンオフ切換が可能となっている。
【００４６】
以下、本実施形態において課題の解決に関わる部分について説明する。
【００４７】
ボディ２の後面には、図８に示すように、コンセント６の後面を露出させる露出穴２７が前後に貫設されており、一端が交流電源（図示せず）に接続されて他端が取付面から引き出されてコンセント６に接続され交流電源とコンセント６とを電気的に接続する電源ケーブルＰＣ（図１２（ｂ）参照）が有する一対の電線Ｃは、ボディ２の後方から露出穴２７を通じて電線挿入穴６２に挿入接続される。露出穴２７は、後方から見た寸法形状がコンセント６のボディ６０ａに略一致し各電線挿入口６２をそれぞれ露出させる長方形状の電線挿入口露出部２７ａと、電線挿入口露出部２７ａの左右に３個ずつ上下に並べて設けられてそれぞれ左右の一端が電線挿入口露出部２７ａに連結し１個ずつの解除釦６５の被操作部６５ａを露出させる６個の解除釦露出部２７ｂとからなる。各解除釦露出部２７ｂはそれぞれ左右の寸法が上下の寸法よりも長い長方形状となっている。また、本実施形態における各解除釦露出部２７ｂの上下の寸法は、人の指の挿入が困難な程度に小さいため、本実施形態においてコンセント６への電線Ｃの接続を解除するには、例えばマイナスドライバーＭＤのように解除釦露出部２７ｂを通過可能な治具によって解除釦６５の被操作部６５ａを押操作する。
【００４８】
ここで、本実施形態のボディ２には、図１に示すように、解除釦６５を押操作するマイナスドライバーＭＤ等に当接して過剰な押操作を阻止する制限部２８が、コンセント６の左右両側にそれぞれ設けられている。すなわち、制限部２８の後面（図１での上面）の位置は、鎖錠ばね６４の鎖錠を解除している状態の解除釦６５の被操作部６５ａの後端近傍となっており、鎖錠ばね６４の鎖錠が解除されている状態からさらに解除釦６５の被操作部６５ａが前方（図１での下方）に押操作されようとしたときには、解除釦６５の被操作部６５ａに押力を加えているマイナスドライバーＭＤ等に制限部２８が当接することにより、上記押操作が阻止されるのである。
【００４９】
上記構成によれば、過剰な押操作が制限部２８によって阻止されることにより、解除釦６５の破損が抑えられる。
【００５０】
ここで、解除釦６５の押操作にマイナスドライバーＭＤが用いられる場合に、マイナスドライバーＭＤの向きが図１や図８の向きから中心軸周りに９０°回転した向きであってマイナスドライバーＭＤの幅方向が上下方向に向けられていると、マイナスドライバーＭＤが解除釦６５の被操作部６５ａと器体６０の左右の側面との間の隙間に入り込み、梃子の原理によって解除釦６５に無理な力が加わって解除釦６５が破損されてしまうことが考えられる。しかし、本実施形態では、各解除釦露出部２７ｂはそれぞれ上下よりも左右に長い形状とされていることにより、解除釦露出部２７ｂの形状を見た操作者は図８のようにマイナスドライバーＭＤの幅方向を左右方向に向けるように促されるから、上記のような解除釦６５の破損が抑えられている。ただし、各解除釦露出部２７ｂを、それぞれ人の指が挿入可能な程度に大きくし、例えば図９に示すように上側の２個の解除釦露出部２７ｂを互いに連結すれば、マイナスドライバーＭＤ等の治具を用いることなく指によって解除釦６５の操作が可能となるという利点がある。指によって解除釦６５が操作される場合、制限部２８は指に当接することで過剰な押操作を阻止することになる。
【００５１】
なお、図１０及び図１１に示すように、電話線用端子台４０ｄ内の各電話線接続端子や電話プラグ挿入穴４５ａ，４５ｂ内の各電話用モジュラジャックとは別途の電話システムＴＳが構成される第２電話接続部４０ｅを、接続ユニット４に追加してもよい。詳しく説明すると、第２電話接続部４０ｅには、電話線用端子台４０ｄと同様に、電話線挿入口４６が複数組設けられるとともに、それぞれ１個ずつの電話線挿入口４６から挿入された電話線に接続される複数個の電話線接続端子（図示せず）が収納及び保持されている。さらに、第２電話接続部４０ｅには、本体部４０ａとは別途に、電話用モジュラジャック４８と切換スイッチ４７とが保持されている。第２電話接続部４０ｅに保持された上記の電話用モジュラジャック４８と各電話線接続端子とのうち、１個は加入者線接続端子ＣＴとされ、他の２個はＬＩＮＥ系統ＬＬとして対応する導電部同士を互いに電気的に接続され、残りはＴＥＬ系統ＴＬとして対応する導電部同士を電気的に接続されている。第２電話接続部４０ｅに保持された切換スイッチ４７は、加えられた操作に応じて、上記の加入者線接続端子ＣＴを、上記のＬＩＮＥ系統ＬＬと上記のＴＥＬ系統ＴＬとの一方に択一的に接続する。すなわち、図１０及び図１１の例は、それぞれ図６のように構成されて互いに独立した２系統の電話システムＴＳを有する。図１０及び図１１のような配線装置は、例えば２世帯住宅で電話回線が２回線使用される場合に用いられる。
【００５２】
さらに、図１２（ａ）に示すように後方から見て露出穴２７を覆う閉位置と、図１２（ｂ）に示すように後方から見て露出穴２７を露出させる開位置との間で、ボディ２に対して変位自在に取り付けられた扉体７を設けてもよい。上記のような扉体７を設ければ、扉体７を開位置に変位させることで各電線挿入口６２への電線Ｃの挿入接続が可能となり、電線Ｃの挿入接続後に扉体７を閉位置に変位させることで各電線挿入口６２をそれぞれ扉体７により保護することができる。また、図１２の例では、扉体７が閉位置にある状態でも扉体７の前面（ボディ２側の面）の左端部とボディ２の後面との間には露出穴２７に連通して電線Ｃ（電源ケーブルＰＣ）を挿通可能な隙間が設けられている。ここで、図１２の扉体７は図１２での右端部をボディ２に枢着されてボディ２に対して回転することにより開閉するようになっているが、扉体７がボディ２に対して左右又は上下にスライドして開閉するような構造としてもよい。いずれの場合にも扉体７は周知技術で実現可能であるので、詳細な図示並びに説明は省略する。
【００５３】
本発明が適用される配線装置は、上記のような配線装置に限られず、図１３のコンセント６のように器体６０の側方において器体６０に対して前後に変位する被操作部６５ａを有する解除釦６５を備えたコンセント６がハウジング１に保持されている配線装置であればよい。本発明が適用可能な配線装置として、他には例えばコンセント付き保安灯のように、周知の電気機器にコンセント６を付加した配線装置がある。コンセント付き保安灯は、具体的には、二次電池と、コンセント６に接続された交流電源から電力を供給されて非停電時に二次電池を充電する充電回路と、電気的な光源と、停電時に二次電池を電源として前記光源を点灯させる点灯回路と、充電回路と点灯回路とをそれぞれ収納し前記光源とコンセント６とをそれぞれ保持するとともに露出穴２７と制限部２８とがそれぞれ設けられたハウジング１とを備えるものである。
【符号の説明】
【００５４】
１  ハウジング
６  コンセント
７  扉体
２７  露出穴
２７ａ  電線挿入口露出部
２７ｂ  解除釦露出部
２８  制限部
６０  器体
６１ａ〜６１ｃ  栓刃挿入口
６２  電線挿入口
６３  端子板
６４  鎖錠ばね
６５  解除釦
６５ａ  被操作部
６５ｂ  押圧部
６５ｃ  連結部
Ｃ  電線
【図１】
2010170731.tif 000003
【図２】
2010170731.tif 000004
【図３】
2010170731.tif 000005
【図４】
2010170731.tif 000006
【図５】
2010170731.tif 000007
【図６】
2010170731.tif 000008
【図７】
2010170731.tif 000009
【図８】
2010170731.tif 000010
【図９】
2010170731.tif 000011
【図１０】
2010170731.tif 000012
【図１１】
2010170731.tif 000013
【図１２】
2010170731.tif 000014
【図１３】
2010170731.tif 000015
【図１４】
2010170731.tif 000016